(57)【特許請求の範囲】
【請求項１】
ランプ口金部にランプの外周よりランプ直径方向に溝部が形成され、この溝部に複数のランプピンが溝部の長手方向に沿って設けられたランプを装着するランプソケットであって、ソケットボディには前記溝部に嵌合される壁状の突出部が設けられ、該突出部には前記複数のランプピンが挿入されるランプピン差し込み孔が設けられるとともにランプピン差し込み孔に挿入されたランプピンを接続するランプピン接触端子が設けられ、ランプピン接触端子はランプピンを挟持する一対の導電片を両導電片を結ぶ方向が前記溝部の長手方向と略直交する方向となるように備えるとともに、一対の導電片の基端部を連結片で互いに連結接続し、且つ前記壁状の突出部を前記溝部に嵌合させたときに前記連結片による連結位置を前記溝部の長手方向の外側となる位置としたことを特徴とするランプソケット。
【発明の詳細な説明】
【０００１】
【発明の属する技術分野】
本発明は、環型蛍光ランプ等の片口金蛍光ランプを接続するランプソケットに関するものである。
【０００２】
【従来の技術】
従来の片口金蛍光ランプを接続するランプソケットには、特開平１−２０９６８１号公報に記載されたものや、図６、図７に示すものがある。
前者の従来例では、ランプ着脱時に、ソケットの口金収納部が回動するようになっているが、この場合ランプピンの移動方向と直交する方向にランプピンに接触する導電片を設けている構造となっている。そのためランプ着脱時のランプピンの動きに影響を受けにくい導電片構造としている。
【０００３】
しかし、導電片を互いにつなぐ連結片が導電片の下部であり、ランプピンの長さ方向の逃がしを行なうと、導電片の長さが長くなる。そのため導電片が大きくなるという欠点がある。
また図６、図７に示す従来例は、図示するようにランプソケット５２内に収納されているランプピンを受ける導電片５１は連結片５０を側面方向に設けて、導電片５１自体の長さＬを短くしているが、しかしランプ装着時にランプ口金部５２が、ランプ装着方向（図７において矢印イで示す方向が正規の方向）を中心軸として移動する可能性がある。よって導電片５１が短いため、ランプの移動（所謂ランプこじる）に対する余裕が少なく導電片５１の塑性変形が生じ接触不良等のトラブルが発生する恐れがある。図６、図７において５３はランプ、５４はランプピン差し込み孔である。また図７において範囲Ｘがランプこじりの範囲を示し、また矢印ロ、ハがランプこじり時のランプ装着方向を示す。
【０００４】
【発明が解決しようとする課題】
本発明は上記問題点に鑑みて為されたもので、その目的とするところはランプ装着時のランプこじりに対して余裕のあるソケットを提供するにある。
【０００５】
【課題を解決するための手段】
上記目的を達成するために請求項１の発明では、ランプ口金部にランプの外周よりランプ直径方向に溝部が形成され、この溝部に複数のランプピンが溝部の長手方向に沿って設けられたランプを装着するランプソケットであって、ソケットボディには前記溝部に嵌合される壁状の突出部が設けられ、該突出部には前記複数のランプピンが挿入されるランプピン差し込み孔が設けられるとともにランプピン差し込み孔に挿入されたランプピンを接続するランプピン接触端子が設けられ、ランプピン接触端子はランプピンを挟持する一対の導電片を両導電片を結ぶ方向が前記溝部の長手方向と略直交する方向となるように備えるとともに、一対の導電片の基端部を連結片で互いに連結接続し、且つ前記壁状の突出部を前記溝部に嵌合させたときに前記連結片による連結位置を前記溝部の長手方向の外側となる位置としたことを特徴とし、前記溝部に壁状の突出部を嵌合しながらランプピンをランプピン差し込み孔に挿入するランプ装着途中のランプこじりに対してランプピン接触端子が影響を受けにくく、そのため接触信頼性が向上し、更に導電片の連結片を側面に設けたので、導電片の長さをランプピンの長さより短くでき、ランプピン接触端子の小型化が可能となり、更に連結片の位置を前記溝部の外側としたので、異極に対向する充電部の面積を必要最小限にでき、トラッキング等の異常時にトラブルが生じにくい。
【０００６】
【発明の実施の形態】
以下、本発明の一実施形態を図面を参照して説明する。
本実施形態のランプソケット５は図１、図２に示すように合成樹脂成形品からなるソケットボディ１１と、ソケットボディ１１の底面開口部に嵌着する合成樹脂成形品からなるソケットカバー１２とで筐体が構成され、ソケットボディ１１はランプの管体の軸方向に直交させる一側面に接続電線をランプ円周方向の接線方向に引き出すことができるようにソケットボディ１１の一側面に電線挿入口１５…を開口するとともに、この電線解除のための電線解除孔４４…を開口してある。また電線挿入口１５…及び電線解除孔４４…を開口している側面とは反対側面側の近傍のソケットボディ１１の上面部には角柱状の突部１６とランプ直径方向の突部１６両側に連接した突部１７とからなる壁状突出部１８及び壁状突出部１８の両側に沿って形成された支承台１９とを設けてある。上記突部１６は上面にランプピンを差し込むためのピン差し込み孔２０を２対開口してピン差し込み部６を構成し、突部１７は突部１６よりやや低く形成され、ソケット取付ねじ４７を挿通するためのナット内蔵の挿通孔３０を開口してある。
【０００７】
両支承台１９は上面を後述する図３に示す環型ランプ３のランプ口金部４０の下面の形状に合わせて形成してランプ口金部４０を支えるためのものであり、ソケットボディ１１のランプ直径方向の両側面より突出せる端部間の凹み部で略コ状のランプ支持ばね２１の両側片を嵌合する溝部２２を構成するとともに、端部の相対する部位には縦溝２６を形成している。この縦溝２６は上記ランプ支持ばね２１の両側片の下部両側縁より突出せる突起２１ａをガイドするものである。また溝部２２にはランプ支持ばね２１の両側片に夫々内側で且つ下向きに形成した係止爪２３の先端を係止する係止段部２４を設けてある。上記突部１６の内側は、各ピン差し込み孔２０に対応するように２対のランプピン接触端子２５ａ，２５ｂ、…を収納する収納部を形成してある。
【０００８】
ソケットカバー１２は図２において上面両側に側壁１２ａを立設するとともに、片側上面の中央にはランプ直径方向に２分するように仕切壁２７で仕切って夫々一対の速結端子１３ａ，１３ｂを収納する速結端子載置部２９，２９を形成してある。各速結端子載置部２９は載置する一対の速結端子１３ａ、１３ｂを分離するためのリブ２８を突設してある。
【０００９】
更にこれらの速結端子収納部２９，２９に連通するように他側上面には、ランプピン接触端子２５ａ，２５ｂ、…を載置する載置部３１を設けてあり、この載置部３１の両側の側壁１２ａ，１２ａは内側に寄って形成され側壁１２ａの外側のソケットカバー１２に上記挿通孔３０に対向する挿通孔３２を穿設し、またソケットカバー１２をソケッボディ１１の底面開口に嵌着した際にソケットボディ１１に形成せる係止孔５５に先端係止爪３３ａが係止される係止突起３３を突設したスぺースを確保している。
【００１０】
また同様にソケットカバー１２をソケットボディ１１の底面開口に嵌着した際にソケットボディ１１に形成せる係止部位（図示せず）に係止する係止爪３４を各速結端子載置部２９にも突設してある。
上記速結端子１３ａ（又は１３ｂ）とランプ接触端子２５ａ（又は２５ｂ）とは導電性金属板を打抜き折り曲げ形成して一体に設けたもので、速結端子１３ａ（又は１３ｂ）は下向き開口した略コ字状の端子部４５とこの端子部４５の一側片の先端より延設して端子部内に延長した鎖錠ばね４６とで構成され、端子部４５の先端開口を上記電線挿入口１５の内側開口に対向するようにソケットボディ１１内に配置されるようになっている。
【００１１】
ここで内側に配置される速結端子１３ａに対応するランプ接触端子２５ａは端子部４５の中央片の後端の片側縁より後方に真っ直ぐ延出した連接片３７により一体に連結されているもので、基端部が連結片５０により連結された一対の導電片３８、３８からなり、一対の導電片３８，３８の先端はやや外側に拡がり、その拡がり部位の下端から連結片５０の連結部位に至る位置までは下方に向けて広がる形となるように折り曲げ形成されたもので、導電片３８，３８の対向方向、つまり一対の導電片３８，３８を結ぶ方向は、後述するランプ口金部４０の溝部４２の長手方向と略直交する方向となるように配置される。また連結片５０は後述するランプ口金部４０の溝部４２の長手方向において外側位置するように設けられている。
【００１２】
速結端子１３ｂに対応するランプ接触端子２５ｂは一側片の後端の片側縁より後方に内側に寄るように傾けて延設し更にその先端上縁を側方に延長した連接片３７’により一体に連結されているもので、内側の速結端子１３ａに対応するランプ接触端子２５ａの後方に配置されるようになっており、その形状はランプ接触端子２５ａと同じ形状となっている。
【００１３】
而してランプソケット５の組み立ては次のように行なう。
まずソケットカバー１２の速結端子載置部２９，２９及び載置部３１上に速結端子１３ａ，１３ｂ、…、及びそれらに連結されるランプ接触端子２５ａ，２５ｂ、…を載置した状態でソケットカバー１２をソケットボディ１１の底面開口部に嵌着する。この時係止爪３４及び係止突起３３の先端係止爪３３ａがソケットボディ１１の係止部及び係止孔５５に係止してソケットボディ１１にソケットカバー１２が固定されることになる。ソケットボディ１１内ではランプ接触端子２５ａ、２５ｂ、…がピン差し込み部６の内側に収納され、夫々に対応するピン差し込み孔２０に対向する。また速結端子１３ａ，１３ｂ、…が対応する電線挿入口１５…に対向することとなる。
【００１４】
そしてこの状態でランプ支持ばね２１の両側側片をソケットボディ１１の両側の溝部２２にソケットカバー１２側から嵌め込むとともに縦溝２６に突起２１ａを挿入しながら、ソケットボディ１１或いはランプ支持ばね２１を、ソケットカバー１２の底面の溝３５にランプ支持ばね２１の中央片が嵌まる位置まで移動させる。この時係止爪２３が係止段部２４に係止され、ランプ支持ばね２１が固定される。この固定によりランプ支持ばね２１を備えたランプソケット５が完成することになる。
【００１５】
このように構成されたランプソケット５は器具本体１の取付面の取付孔３６に挿通孔３０，３２及びランプ支持ばね２１の中央片に穿設してある挿通孔２１ｃを介して挿通したソケット取付ねじ４７を螺合させて器具本体１に固定される。このときランプソケット５の電線挿入口１５及び電線解除孔４４は装着される環型ランプ３の円周の接線方向となるように配置する。
【００１６】
一方本発明のランプソケット５に対応する環型ランプ３は図３に示すように２重環状になるように一本の細径の管体を曲げて外観が２重環状でランプ面が平面となるように形成したもので、管体の折り返し部及び両端部を収納し両端部のランプフィランメント（図示せず）に接続された２対のランプピン３９ａ，３９ｂ、…をランプ面に対して直交する方向に突出したランプ口金面４１を持つランプ口金部４０をランプ円周の途中に設けてある。
【００１７】
このランプ口金部４０は合成樹脂成形品からなり、両側に管体の折り返し部及び両端を収納部を形成し、中央部の片面には環型ランプ３の直径Ｒ方向に、ランプソケット５の壁状突出部１８が嵌合されるように壁状突出部１８の外形に対応する形状の溝部４２を形成し、その溝部４２の中央部に上記ランプ口金面４１を形成している。
【００１８】
このランプ口金面４１に突出せるランプピン３９ａ，３９ｂ、…は上述のようにランプ面に対して直交する方向に突出し、且つ環型ランプ３の直径Ｒを挟んで対となるランプピン３９ａ、３９ｂが対称配置される。
また溝部４２の両端には、ランプソケット５に設けたランプ支持ばね２１の両側片の先端にく字状に屈曲して形成したランプ係合部２１ｂを係合する係合突起４３を設けてある。
【００１９】
そしてランプソケット５に対して環型ランプ３を装着する場合には器具本体１側のランプ保持部（図示せず）に管体を嵌合保持ささせるとももに、図３に示すようにランプソケット５の壁状突出部１８を溝部４２に対向させ、この状態で壁状突出部１８を溝部４２内に嵌合して突部１６に開口してあるピン差し込み孔２０…にランプピン３９ａ，３９ｂ、…を差し込む。この際ランプソケット５側のランプ支持ばね２１のランプ係合部２１ｂが溝部４２内の係合突起４３に係合して環型ランプ３が図４に示すように保持されることになる。
【００２０】
ところでこのランプソケット５に環型ランプ３を装着する場合、ランプ装着途中において、図５に示すようにランプピン３９ａ1 ，３９ａ2 がランプピン接触端子２５ａ1 ，２５ａ2 の夫々の導電片３８に接触するときには、ランプソケット５の壁状突出部１８と、ランプ口金部４０の溝部２２が嵌合した状態となっているため図面において垂直な方向（図面から向かってくる方向ａ若しくは図面へ向かう方向ｂ）へのランプ口金部４０のこじりによる倒れが生じない。
【００２１】
またランプ口金部４０を溝部４２の長手方向に傾けて装着する場合には、図５においてランプピン３９ａ1 が導電片３８に当接しているが、ランプピン先端は正規嵌合位置よりも連結片５０から離れる方向に位置しているため、ランプピン接触端子２５ａ1 はストレスを受けにくくなり、ランプピン接触端子２５ａ1 に不具合が生じない。
【００２２】
一方ランプピン３９ａ2 が導電片３８に接触を始める時には、ランプピン３９ａ1 側の突出部１６とランプ口金面４１とが当接するので、ランプピン３９ａ1 の中心軸と正規嵌合位置ｘとの角度θが０に近づいて行く。つまり装着動作が進行するにつれて、自然とランプピン３９ａ2 の角度θが０に近づいて行くことになる。よってランプピン３９ａ2 による導電片３８への悪影響は生じないのである。
【００２３】
【発明の効果】
請求項１の発明は、ランプ口金部にランプの外周よりランプ直径方向に溝部が形成され、この溝部に複数のランプピンが溝の長手方向に沿って設けられたランプを装着するランプソケットであって、ソケットボディには前記溝部に嵌合される壁状の突出部が設けられ、該突出部には前記複数のランプピンが挿入されるランプピン差し込み孔が設けられるとともにランプピン差し込み孔に挿入されたランプピンを接続するランプピン接触端子が設けられ、ランプピン接触端子はランプピンを挟持する一対の導電片を両導電片を結ぶ方向が前記溝部の長手方向と略直交する方向となるように備えるとともに、一対の導電片をその基端部を連結片で互いに連結接続し、且つ連結片による連結位置を壁状突出部が溝部に嵌合させたときに前記溝部の長手方向の外側となる位置としたので、溝部に壁状の突出部を嵌合しながらランプピンをランプピン差し込み孔に挿入するランプ装着途中のランプこじりに対してランプピン接触端子が影響を受けにくく、そのため接触信頼性が向上し、更に導電片の連結片を側面に設けたので導電片の長さをランプピンの長さより短くでき、ランプピン接触端子の小型化が可能となり、更に連結片による連結位置を壁状突出部が溝部に嵌合させたときに前記溝部の長手方向の外側となる位置としたので、異極に対向する充電部の面積を必要最小限にでき、トラッキング等の異常時にトラブルが生じにくいという効果がある。
【図面の簡単な説明】
【図１】（ａ）は本発明の一実施形態の上面図である。
（ｂ）は一部破断せるソケットカバーを外した状態のソケットビディの下面図である。
【図２】同上の分解斜視図である。
【図３】同上の環型ランプをランプソケットに取り付ける場合の説明図である。
【図４】同上の環型ランプをランプソケットに取り付ける場合の説明図である。
【図５】同上の環型ランプをランプソケットに取り付ける場合の説明図である。
【図６】一従来例の一部破断且つ省略せる断面図である。
【図７】同上のランプ装着説明図である。
【符号の説明】
５  ランプソケット
６  ランプ差し込み部
１１  ソケットボディ
１２  ソケットカバー
１３ａ、１３ｂ  速結端子
１６  突部
１７  突部
１８  壁状突部
１９  支承台
２０  ピン差し込み孔
２１  ランプ支持ばね
２２  溝部
２６  縦溝
２５ａ，２５ｂ  ランプ接触端子
３８  導電片
３７，３７’  連接片
５０  連結片
【図１】
0003666168.tif 000002
【図２】
0003666168.tif 000003
【図３】
0003666168.tif 000004
【図４】
0003666168.tif 000005
【図５】
0003666168.tif 000006
【図６】
0003666168.tif 000007
【図７】
0003666168.tif 000008